(57)【要約】      （修正有）【課題】使用者の生活習慣や、部屋のレイアウトに応じて収納位置を多様に変化させることができる収納棚を提供する。【解決手段】Ｌ字状に配設した２枚の側板２，２と、該側板２の上端部に設けた天板３と、側板２の下端部に設けた底板４を有する本体部６を備え、天板３と底板４との間に、回転棚部１０を本体部６に対して回転可能に設けた。【選択図】図２
0003205745.tif 000002
【実用新案登録請求の範囲】
【請求項１】
Ｌ字状に配設した２枚の側板と、該側板の上端部に設けた天板と、前記側板の下端部に設けた底板を有する本体部を備え、
前記天板と底板との間に、回転棚部を前記本体部に対して回転可能に設けたことを特徴とする収納棚。
【請求項２】
前記本体部を直方体状に形成するとともに、隣り合う２面が開口する開口面を有し、
前記回転棚部は、前記天板と底板の中心から２面の開口面側に偏心した位置に設けられた回転軸を中心として回転可能に備えられ、一対の側枠と該側枠間の上端に設けた上板と、前記側枠間の下端に設けた下板で直方体状に形成するとともに、この回転棚部の挿入側面からその内部に被収納物を収納できるようにし、
前記回転棚部を、その挿入側面が、前記本体部の一方の開口面側、又は、他方の開口面側に位置した状態で保持することができるようにしたことを特徴とする請求項１記載の収納棚。
【請求項３】
前記回転棚部と本体部との間に収納空間を形成し、該収納空間内に被収納物を収納できるようにしたことを特徴とする請求項１又は２記載の収納棚。
【考案の詳細な説明】
【技術分野】
【０００１】
本考案は、収納棚に関するものである。
【背景技術】
【０００２】
従来、対向して配置した一対の側枠と、側枠間の上端に架設した天板と、側枠間の下端に架設した底板と、側枠間に設けた背板と、側枠間に架設した複数の棚板を有する収納棚が知られている。
【考案の概要】
【考案が解決しようとする課題】
【０００３】
上記従来の収納棚は、周方向の１面のみに開口しているため、使用者の生活習慣や、部屋のレイアウトに応じて収納位置を変化させることに限界がある。
【０００４】
そこで、本考案は、上記問題を解決した収納棚を提供することを目的とするものである。
【課題を解決するための手段】
【０００５】
前記の課題を解決するために、請求項１記載の考案は、  Ｌ字状に配設した２枚の側板と、該側板の上端部に設けた天板と、前記側板の下端部に設けた底板を有する本体部を備え、
前記天板と底板との間に、回転棚部を前記本体部に対して回転可能に設けたことを特徴とするものである。
【０００６】
請求項２記載の考案は、請求項１記載の考案において、前記本体部を直方体状に形成するとともに、隣り合う２面が開口する開口面を有し、
前記回転棚部は、前記天板と底板の中心から２面の開口面側に偏心した位置に設けられた回転軸を中心として回転可能に備えられ、一対の側枠と該側枠間の上端に設けた上板と、前記側枠間の下端に設けた下板で直方体状に形成するとともに、この回転棚部の挿入側面からその内部に被収納物を収納できるようにし、
前記回転棚部を、その挿入側面が、前記本体部の一方の開口面側、又は、他方の開口面側に位置した状態で保持することができるようにしたことを特徴とするものである。
【０００７】
請求項３記載の考案は、請求項１又は２記載の考案において、前記回転棚部と本体部との間に収納空間を形成し、該収納空間内に被収納物を収納できるようにしたことを特徴とするものである。
【考案の効果】
【０００８】
本考案によれば、Ｌ字状に配設した２枚の側板を有する本体部に対して、回転棚部を回転可能に備えたことにより、従来技術と比較して、使用者の生活習慣や、部屋のレイアウトに応じて収納位置をより多様に変化させることができ、使い勝手が向上する。
【図面の簡単な説明】
【０００９】
【図１】本考案の実施例に係る収納棚の右から見た斜視図。
【図２】図１の左から見た斜視図。
【図３】図１のＡ−Ａ線断面図。
【図４】本考案の実施例に用いる本体部の斜視図。
【図５】本考案の実施例に用いる回転棚部の前から見た斜視図。
【図６】本考案の実施例に用いる回転棚部の後から見た斜視図。
【図７】図１の状態から、棚板を取り外し、回転棚部を回転させた状態の斜視図。
【図８】図１の状態から回転棚部を回転し、その挿入側面の位置を変更した状態の図１の左から見た斜視図。
【図９】図８の右から見た斜視図。
【図１０】図１の横断面図。
【図１１】図１０の状態から第１棚板と第２棚板の位置を入れ替えた状態の横断面図。
【図１２】図８の横断面図。
【図１３】図１の状態から抽斗の位置を変更した状態の斜視図。
【考案を実施するための形態】
【００１０】
本考案を実施するための形態を図に基づいて説明する。
【００１１】
本考案の収納棚１は、方形状に形成された２枚の側板２、２を有し、この側板２と２は、図１〜図４に示すように、上面視でＬ字状に組み合わされている。
【００１２】
側板２と２の内側の上端部には天板３が固設され、下端部には底板４が固設されている。この側板２，２、天板３、底板４により本体部６が形成されている。
【００１３】
本体部６は、図４に示すように、直方体形状に形成され、側板２，２と対向する側の２面は、側板２，２が設けられず開口する開口面６ａ，６ｂとなっている。本体部６内には、この開口面６ａ，６ｂに連通する空間８が形成されている。すなわち、一方の開口面６ａと他方の開口面６ｂとは隣り合うように形成されている。
【００１４】
天板３には、図３に示すように、その中心に対して、開口面６ａと６ｂ側に偏心した位置に、空間８側に開口する回転穴３ａが上下方向に設けられ、この回転穴３ａには雌ねじが埋設されている。また、天板３には、回転穴３ａより開口面６ａと６ｂ側の２カ所に固定穴３ｂ（一方は図示せず）が、上下方向に設けられている。この固定穴３ｂには雌ねじが埋設されている。
【００１５】
底板４には、図３、図４に示すように、天板３の回転穴３ａに対応する位置に回転穴４ａが上下方向に設けられ、この回転穴４ａには雌ねじが埋設されている。天板３の回転穴３ａの軸芯と、底板４の回転穴４ａの軸芯は、略同一直線状に位置するようになっている。また、底板４には、回転穴４ａより開口面６ａと６ｂ側の２カ所に固定穴４ｂ，４ｃが上下方向に設けられている。この固定穴４ｂ，４ｃには雌ねじが埋設されている。
【００１６】
底板４の下部の４隅には、キャスタ７が回転可能に設けられている。
【００１７】
空間８内には、回転穴３ａ，４ａを中心として回転可能に、回転棚部１０が備えられている。
【００１８】
回転棚部１０は、図５，図６に示すように、対向する一対の板状部材で形成された側枠１２，１２を有し、側枠１２と１２間の上端部には上板１３が架設され、下端部には下板１４が架設されている。また、側枠１２と１２間の板方向の一方の端部には背板１５が架設され、回転棚部１０は直方体状に形成されているとともに、回転棚部１０の側枠１２の板方向の他方の挿入側面１０ａが開口する収納空間１１が形成されており、この収納空間１１内に挿入側面１０ａから被収納物を収納できるようになっている。
【００１９】
収納空間１１内には、棚板２４と、抽斗２１が備えられている。棚板２４は、上下方向の３カ所の何れか１つの位置に取外し可能に取り付けることができるようになっている。また、抽斗２１は、図５に示す上下方向中央部、又は、図１３に示すような上端部に取付けることができるとともに、抽斗２１を図５に示すように中央部に取付けた場合には、その上面２１ａを棚として使用することができるようになっている。
【００２０】
背板１５は、図６に示すように、その上下方向の長さが側板１２の上下方向の長さより短く形成され、回転棚部１０の下方で、かつ、背部は開口している。また、下板１４は、図６に示すように、背板１５より外側に突出している。下板１４の背板１５より外側に突出した部分には、コ字状の転び止め金具１４ｃを取り外し可能に取り付けることができるようになっている。
【００２１】
上板１３の中心には、上下方向に貫通する回転用穴１３ａが形成されている。回転用穴１３ａの挿入側面１０ａ側には、固定用穴１３ｂが上下方向に貫通して形成されている。
【００２２】
下板１４の中心部には、上下方向に貫通する回転用穴１４ａが形成され、この回転用穴１４ａの軸芯と、上板１３の回転用穴１３ａの軸芯は、略同一直線状となるように形成されている。回転用穴１４ａの挿入側面１０ａ側には、固定用穴１４ｂが上下方向に貫通して形成されている。
【００２３】
上板１３の回転用穴１３ａには、図３に示すようにボルト１６が挿通され、ボルト１６は回転穴３ａの雌ねじに螺合している。また、下板１４の回転用穴１４ａにはボルト１７が挿通され、ボルト１７は回転穴４ａの雌ねじに螺合している。このボルト１６，１７を、緩めた状態において、ボルト１６、１７を中心として回転棚部１０を本体部６に対して回転することができるようになっている。
【００２４】
また、ボルト１８を、上板１３の固定用穴１３ｂに挿通し、天板３の固定穴３ｂ内の雌ねじに螺合し、ボルト１９を下板１４の固定用穴１４ｂに挿通し、底板４の固定穴４ｂ（４ｃ）内の雌ねじに螺合することで、回転棚部１０を、その挿入側面１０ａが、本体部６の一方の開口面６ａ側、又は他方の開口面６ｂ側に位置させた状態で保持することができるようになっている。
【００２５】
回転棚部１０と、本体部６の側板２，２との間には、図１０〜図１２に示すように、収納空間３０ａ，３０ｂが形成されている。
【００２６】
回転棚部１０の側枠１２，１２の外側面１２ａ，１２ａには、図５，図６に示すように、夫々、一方の側端部と他方の側端部に設けた２つの取付け穴１２ｂ、１２ｃが、上下方向に複数段設けられている。また、背板１５の外側面１５ａにも、両端側部に夫々設けた２つの取付け穴１５ｂ、１５ｃが、上下方向に適宜間隔を有して複数段設けられている。側枠１２の取付け穴１２ｂと１２ｃの間隔Ｌ１と、背板１５の取付け穴１５ｂと１５ｃの間隔Ｌ２は、同じに設定されている。また、側枠１２の取付け穴１２ｂと１２ｃと、背板１５の取付け穴１５ｂと１５ｃの上下方向の位置は同じになるように設定されている。
【００２７】
また、本体部６の内側面６ｃの開口面６ａ（６ｂ）側には、側枠１２の取付け穴１２ｂと１２ｃの間隔Ｌ１と同じ間隔で、かつ、同じ高さに設けた第１取付け穴２０ａ，２０ｂが、上下方向に適宜間隔を有して複数段設けられている。この上下方向の位置は、側枠１２の取付け穴１２ｂと１２ｃと、背板１５の取付け穴１５ｂと１５ｃの位置と同じになるように設定されている。
【００２８】
この第１取付け穴２０ａ、２０ｂの奥部には、後述する棚板２２（２３）の横幅より狭い間隔Ｌ３を有して設けられた第２取付け穴２０ｃ，２０ｄが、上下方向に適宜間隔を有して複数段、第１取付け穴２０ａ，２０ｂと同じ高さに設けられている。
【００２９】
回転棚部１０における側枠１２の取付け穴１２ｂと１２ｃ、若しくは、背板１５の取付け穴１５ｂ，１５ｃと対向する位置にある本体部６の第１取付け穴２０ａ、２０ｂに夫々取付金具２５を取付け、この取付金具２５に対して、第１棚板２２の両側部の下面に形成された取付溝（図示せず）を嵌合することにより、第１棚板２２を図１０〜図１２に示すように収納空間３０ａ（３０ｂ）内に取外し可能に取付けることができるようになっている。
【００３０】
また、図１０〜図１２に示すように、第１棚板２２より奥行きの長い第２棚板２３を取付けようとする収納空間３０ａ（３０ｂ）で最も開口側面６ａ（６ｂ）に位置する側枠１２の取付け穴１２ｂ（背板１５の取付け穴１５ｂ）と、本体部６の第１取付け穴２０ａ、この開口側面６ａ（６ｂ）と対向する位置にある第２取付け穴２０ｃ，２０ｄに夫々取付金具２５を取付け、この取付金具２５に対して、第２棚板２３の両側部の下面に形成された取付溝（図示せず）を嵌合することにより、第２棚板２３を図１０〜図１２に示すように収納空間３０ａ（３０ｂ）内に取外し可能に取付けることができるようになっている。
【００３１】
また、図１１、図１２に示すように、取付金具２５の取り付け位置を変えることにより、第１棚板２２と第２棚板２３の取付け位置を相互に入れ替えることができるようになっている。
【００３２】
また、開口側の下部には、目隠し板３５を取り外し可能に取り付けることができるようになっている。この目隠し板３５の内部の空間内に、コンセントや配線等を収納するとともに、外部から視認できないようにすることができるようになっている。
【００３３】
本体部６の側枠２，２の外側面と、回転棚部１０の側枠１２，１２の外側面１２ａ，１２ａの上部には、ハンガー等を引っ掛けることができるとともに、非使用時には収納することができるフック３２が設けられている。
【００３４】
上記構成により、回転棚部１０を、その挿入側面１０ａが、本体部６の一方の開口面６ａ側、又は他方の開口面６ｂ側の２方向に位置することができるとともに、回転棚部１０と、本体部６の側板２との間には、収納空間３０ａ，３０ｂを設け、回転棚部１０の収納空間１１内の棚板２４と抽斗２１の上下方向の位置、収納空間３０ａ，３０ｂ内の棚板２２、２３の上下方向の位置を変えることができるようにしたことで、使用者の日常生活や部屋のレイアウト等に応じて、収納棚１の形態を様々に変化させることができる。
【００３５】
また、収納棚１の２面が開口し、夫々の開口側から被収納物を収納できるようにしたことにより、収納棚１から被収納物の出し入れが容易になる。
【符号の説明】
【００３６】
１  収納棚
２  側板
３  天板
４  底板
６  本体部
６ａ，６ｂ  開口面
１０  回転棚部
１２  側枠
１３  上板
１４  下板
３０ａ，３０ｂ  収納空間
【図１】
0003205745.tif 000003
【図２】
0003205745.tif 000004
【図３】
0003205745.tif 000005
【図４】
0003205745.tif 000006
【図５】
0003205745.tif 000007
【図６】
0003205745.tif 000008
【図７】
0003205745.tif 000009
【図８】
0003205745.tif 000010
【図９】
0003205745.tif 000011
【図１０】
0003205745.tif 000012
【図１１】
0003205745.tif 000013
【図１２】
0003205745.tif 000014
【図１３】
0003205745.tif 000015